(57)【要約】      （修正有）【課題】視認性のよい照明装置を提供する。【解決手段】コヒーレント光を出射する第１光源１１と、インコヒーレント光を出射する第２光源１２と、第１光源１１から出射されるコヒーレント光および第２光源１２から出射されるインコヒーレント光を導光する導光体３１と、前記コヒーレント光からスペックルパターンを発生させる表示板３５を備えて前記コヒーレント光および前記インコヒーレント光を放射する表示ユニット１３と、第１光源１１の駆動と第２光源１２の駆動を制御する制御部と、を有する。【選択図】図４
2019215999.tif 000002
【特許請求の範囲】
【請求項１】
コヒーレント光を出射する第１光源と、
インコヒーレント光を出射する第２光源と、
前記第１光源から出射される前記コヒーレント光および前記第２光源から出射される前記インコヒーレント光を放射する表示ユニットと、
前記第１光源の駆動と前記第２光源の駆動を制御する制御部と、
を有する照明装置。
【請求項２】
前記制御部は、
前記表示ユニットの視認性の改善が必要な状況であるか否かを判定し、前記第１光源および前記第２光源のうち、いずれか一方を駆動する、請求項１に記載の照明装置。
【請求項３】
前記表示ユニットは、
前記コヒーレント光および前記インコヒーレント光を導光する導光体と、
前記導光体から入射する前記コヒーレント光からスペックルパターンを発生させる表示板と、を有する、請求項１または２に記載の照明装置。
【請求項４】
前記第１光源が出射するコヒーレント光とは波長が異なるコヒーレント光を出射する第３光源をさらに有し、
前記制御部は、
前記表示ユニットの周囲の避難経路が安全であるか否かを判定し、前記避難経路が安全と判定する場合、前記第１光源を駆動し、前記避難経路が危険と判定する場合、前記第３光源を駆動する、請求項１〜３のいずれか１項に記載の照明装置。
【請求項５】
前記第１光源は緑色レーザであり、
前記第２光源は白色発光ダイオードであり、
前記第３光源は赤色レーザであり、
前記表示ユニットは緑色透過領域および白色光透過領域を含む表示板を有する、請求項４に記載の照明装置。
【請求項６】
前記第１光源の発光波長は４９５〜５７０ｎｍの波長範囲にあり、かつ発光スペクトルの半値全幅が１０ｎｍ以下であり、
前記第３光源の発光波長は６２０〜７５０ｎｍの波長範囲にあり、かつ発光スペクトルの半値全幅が１０ｎｍ以下である、
請求項４または５に記載の照明装置。
【請求項７】
前記第１光源および前記第３光源は半導体レーザである、
請求項４〜６のいずれか１項に記載の照明装置。
【発明の詳細な説明】
【技術分野】
【０００１】
本発明は、誘導灯を含む照明装置に関する。
【背景技術】
【０００２】
火災等の非常時に避難口および避難方向を避難者に知らせる照明設備として、誘導灯という照明装置が広く使用されている（例えば、特許文献１参照）。特許文献１の誘導灯は、通常時には外部から供給される常用電源で点灯し、非常時に断線または停電に起因して電力供給を受けられなくなると、自動的に非常用電源に切り替わり、点灯する。これにより、非常時に避難経路の照明が消灯しても、避難者は、誘導灯から出射される光にしたがって、避難口および避難方向を認識することができ、容易に避難できる。
【０００３】
照明装置には、検知器により避難経路が危険と検知された場合、避難者を誘導しないために、非常用電源があっても消灯するものもある。避難者を誘導するために、半導体レーザが出射する可視光レーザを直線状に点在させて壁面、天井面および床面等に投影する誘導灯が提案されている（例えば、特許文献２参照）。
【先行技術文献】
【特許文献】
【０００４】
【特許文献１】特許第５３２５０８４号公報
【特許文献２】特開平８−２２７０１号公報
【発明の概要】
【発明が解決しようとする課題】
【０００５】
しかしながら、特許文献１および特許文献２において、通常時または非常時のいずれか一方の視認性が悪い。特許文献１に開示された照明装置は、非常時に自動的に非常用電源に切り替わり点灯する。しかし、非常時は常用電源による点灯する通常時よりも暗く、火災時には煙によって視界が妨げられ、誘導灯が見えにくくなり、誘導灯の視認性が低下してしまう。特許文献２に開示された照明装置は、常用時に光を出射していないため照明装置の位置を人が認識しにくく、非常時に床面等に光が投影されても、投影された光に気がつかないおそれがある。
【０００６】
本発明は、上記のような課題を解決するためになされたもので、視認性のよい照明装置を提供するものである。
【課題を解決するための手段】
【０００７】
本発明に係る照明装置は、コヒーレント光を出射する第１光源と、インコヒーレント光を出射する第２光源と、前記第１光源から出射される前記コヒーレント光および前記第２光源から出射される前記インコヒーレント光を放射する表示ユニットと、前記第１光源の駆動と前記第２光源の駆動を制御する制御部と、を有するものである。
【発明の効果】
【０００８】
本発明によれば、コヒーレント光およびインコヒーレント光のうち、一方または両方が表示ユニットから放射するため、常用時および非常時のいずれの状況であっても照明装置に対する視認性が向上する。
【図面の簡単な説明】
【０００９】
【図１】本発明の実施の形態１に係る照明装置の一構成例を示す外観斜視図である。
【図２】図１に示した照明装置を背面側から見たときの内部を示す外観斜視図である。
【図３】図２に示した光源ユニットの拡大斜視図である。
【図４】図２に示した光源ユニットの拡大側面図である。
【図５】図１に示した制御部の一構成例を示すブロック図である。
【図６】本発明の実施の形態１に係る照明装置の動作手順を示すフローチャートである。
【図７】図１に示した表示ユニットの表示領域における発光スペクトルを示す図である。
【図８】スペックルパターンの一例を示す図である。
【図９】本発明の実施の形態２に係る照明装置の一構成例を示す外観斜視図である。
【図１０】図９に示した照明装置の背面側の一例を示す外観斜視図である。
【図１１】図１０に示した照明装置の内部を示す外観斜視図である。
【図１２】図１１に示した光源ユニットの拡大斜視図である。
【図１３】図１１に示した光源ユニットの拡大側面図である。
【図１４】図１２に示した光源ユニットの一構成例を示す外観斜視図である。
【図１５】図１４に示したＬＥＤ基板の外観斜視図である。
【図１６】図１４に示した中継保持部およびホルダの外観斜視図である。
【図１７】図１６に示した構成の分解斜視図である。
【図１８】図１４に示したホルダの一部の拡大図である。
【図１９】図１１に示した制御部の一構成例を示すブロック図である。
【図２０】本発明の実施の形態２に係る照明装置の動作手順を示すフローチャートである。
【図２１】図９に示した表示ユニットの表示領域における発光スペクトルを示す図である。
【発明を実施するための形態】
【００１０】
実施の形態１．
本実施の形態１の照明装置の構成を説明する。図１は、本発明の実施の形態１に係る照明装置の一構成例を示す外観斜視図である。図２は、図１に示した照明装置を背面側から見たときの内部を示す外観斜視図である。図２は、照明装置の背面側筐体が外された状態を示す。図３は、図２に示した光源ユニットの拡大斜視図である。図４は、図２に示した光源ユニットの拡大側面図である。
【００１１】
本実施の形態１では、照明装置１が誘導灯の場合で説明するが、照明装置１は誘導灯に限らず、非常灯であってもよい。誘導灯および非常灯は避難口および避難方向を指示するための照明設備の一種である。
【００１２】
図１〜図４に示すように、照明装置１は、第１光源１１と、第２光源１２と、表示ユニット１３と、常用電源１４と、非常用電源１５と、制御部１６とを有する。第１光源１１および第２光源１２は光源ユニット２０に搭載されている。
【００１３】
第１光源１１は、コヒーレント光を出射する光源である。第１光源１１は、例えば、緑色の単色光を出射する緑色半導体レーザである。第１光源１１が緑色半導体レーザである場合、第１光源１１の発光波長は４９５〜５７０ｎｍの波長範囲にあり、かつ発光スペクトルの半値全幅が１０ｎｍ以下である。第２光源１２は、インコヒーレント光を出射する光源である。第２光源１２は、例えば、白色光を出射する白色ＬＥＤ（発光ダイオード）である。
【００１４】
表示ユニット１３は、第１光源１１から出射されるコヒーレント光および第２光源１２から出射されるインコヒーレント光を放射する。表示ユニット１３は、導光体３１、反射板３２、拡散板３３、プリズムシート３４、および表示板３５を有する。反射板３２と表示板３５との間に、導光体３１、拡散板３３およびプリズムシート３４が反射板３２側から順に配置されている。表示ユニット１３において、表示板３５側の面を表面とし、反射板３２側を裏面とする。表示板３５は、表面側に表示領域３６を有する。表示領域３６の面が避難経路に面している。表示領域３６は、第２光源１２から出射される白色光が白色のまま透過する白色光透過領域３７ａと、白色光のうち緑色の単色光が透過する緑色透過領域３７ｂとを有する。
【００１５】
導光体３１は、図４に示すＹ軸矢印方向に厚みを有する矩形の板状のものである。図４に示すように、第１光源１１および第２光源１２は、導光体３１の上面側の端部に対向して配置されている。導光体３１は、第１光源１１および第２光源１２からの光の出射方向に配置され、コヒーレント光およびインコヒーレント光を導光する。図４に、光の出射方向を白色矢印（Ｚ軸矢印と反対方向）で示す。第１光源１１および第２光源１２から表示ユニット１３に入射した光は、導光体３１を伝搬し、導光体３１内で反射を繰り返して拡散した後、拡散板３３およびプリズムシート３４を経由して表示板３５の表示領域３６から放射する。
【００１６】
常用電源１４および非常用電源１５は電源基板に設けられている。非常用電源１５は、例えば、バッテリーである。常用電源１４は、外部から電力が供給される常用時に照明装置１を動作させる。常用電源１４は、常用時に非常用電源１５を充電する。非常用電源１５は、火災等の非常時のうち、停電を伴う非常時に照明装置１を動作させる。
【００１７】
なお、停電を伴わない非常時には、照明装置１は、常用時と同様に常用電源１４によって動作してもよく、非常用電源１５によって動作してもよい。
【００１８】
図５は、図１に示した制御部の一構成例を示すブロック図である。図５に示す制御部１６は、例えば、マイクロコンピュータである。制御部１６は、第１光源１１および第２光源１２の２つの光源のうち、いずれの光源を使用する状況にあるかを判定し、判定の結果に基づいて、２つの光源のうち、一方または両方を駆動させる。例えば、制御部１６は、表示ユニット１３の視認性の改善が必要な状況である場合、第１光源１１を駆動させ、表示ユニット１３の視認性の改善が必要な状況でない場合、第２光源１２を駆動させる。その際、制御部１６は、駆動させる光源への電力供給手段として、停電を伴わない非常時には常用電源１４を使用し、停電を伴う非常時には非常用電源１５を使用する。
【００１９】
次に、本実施の形態１の照明装置１の光源切替制御の手順を説明する。ここでは、第１光源１１が緑色半導体レーザであり、第２光源１２が白色ＬＥＤの場合で説明する。図６は、本発明の実施の形態１に係る照明装置の動作手順を示すフローチャートである。
【００２０】
制御部１６は、表示ユニット１３の視認性の改善が必要な状況であるか否かを判定する（ステップＳ１０１）。例えば、照明装置１が設置された建物が停電になると、建物内に設置された照明器具が消灯するため、建物内に居る人の表示ユニット１３に対する視認性の改善が必要な状況になる。制御部１６は、常用電源１４の状態を監視し、常用電源１４からの電力供給が停止した場合、停電により表示ユニット１３の視認性の改善が必要な状況になったと判定できる。
【００２１】
ステップＳ１０１の判定の結果、表示ユニット１３の視認性の改善が必要な状況でない場合、制御部１６は、常用電源１４で第２光源１２を駆動する（ステップＳ１０２）。このように、常用時には、制御部１６が常用電源１４に第２光源１２を駆動させることで、第２光源１２が白色光を出射する。
【００２２】
第２光源１２から出射した白色光は、表示ユニット１３の導光体３１に伝播する。導光体３１に入射した白色光は導光体３１内で反射を繰り返す。導光体３１から裏面側に出射した白色光は、反射板３２で反射され、導光体３１内に戻る。導光体３１内で全反射条件が崩れると、白色光は、拡散板３３およびプリズムシート３４を経由して表示板３５の表示面から放射する。白色光透過領域３７ａから白色光が放射し、緑色透過領域３７ｂから緑色光が放射する。
【００２３】
図７は、図１に示した表示ユニットの表示領域における発光スペクトルを示す図である。第２光源１２は、例えば、図７のグラフに示すように白色の発光スペクトルの光を放射する。ここでは、白色の発光スペクトルは、色温度約５０００Ｋの色度点となる白色である。表示ユニット１３の白色光透過領域３７ａは第２光源１２から放射される白色光を白色のまま表示するため、白色光透過領域３７ａは白色になる。図７には、この白色の発光スペクトルは、白色透過フィルタースペクトルと表示されている。
【００２４】
緑色透過領域３７ｂは、例えば、図７のグラフに示すよう、緑色光を透過するフィルターの役目を果たす。そのため、第２光源１２から放射された白色光が表示ユニット１３の緑色透過領域３７ｂを透過する際、緑色の光が選択的に透過し、緑色透過領域３７ｂから緑色の光が放射する。図７には、この緑色の発光スペクトルは、緑色透過フィルタースペクトルと表示されている。第２光源１２から放射された白色光が緑色透過領域３７ｂを透過した光はドミナント波長が第１光源１１の緑色レーザ光と一致する。
【００２５】
一方、図６に示したステップＳ１０１の判定の結果、停電を伴う非常事態により表示ユニット１３の視認性の改善が必要な状況になった場合、制御部１６は、非常用電源１５で第１光源１１を駆動する（ステップＳ１０３）。このように、停電を伴う非常時に、制御部１６が第１光源１１を駆動させることで、第１光源１１が緑色レーザ光を出射する。
【００２６】
第１光源１１から出射した緑色レーザ光は、表示ユニット１３の導光体３１に伝播する。導光体３１に入射した緑色レーザ光は導光体３１内で反射を繰り返して拡散した後、拡散板３３およびプリズムシート３４を経由して表示板３５の表示面から放射する。例えば、図７の緑色半導体レーザスペクトルに示すように、緑色レーザ光は、スペクトル線幅が非常に狭く、かつ波長位置が白色光透過領域３７ａおよび緑色透過領域３７ｂの両方で透過する位置にある。そのため、青色の光が表示板３５の表示領域３６の表面全体から放射する。
【００２７】
さらに、緑色レーザ光は、第２光源１２から出射されるインコヒーレント光とは異なり、コヒーレント光であるため、スペックルパターンを発生させる。図８は、スペックルパターンの一例を示す図である。図８に示したスペックルパターンは、「統計光学」（Ｊｏｓｅｐｈ  Ｗ．Ｇｏｏｄｍａｎ著）に開示されたものである。
【００２８】
スペックルパターンは、表示ユニット１３の表示板３５の表面および人の網膜上で干渉することによって発生する。例えば、表示板３５の表示面で散乱された光がランダムな位相変化を受け、一様でない粒状の強度パターンとなって見えるため、遠くからでも極めて目立つ。
【００２９】
例えば、火災により避難経路に煙が充満している場合、煙によってレーザ光が散乱し、よりスペックルパターンの発生が促される。そのため、避難者は、照明装置１の表示面が見えなくても、照明装置１の位置する方向を視認しやすくなる。
【００３０】
なお、本実施の形態１では、表示ユニット１３の視認性の改善が必要な状況として、停電の場合で説明したが、この場合に限らない。例えば、表示ユニット１３の視認性の改善が必要か否かを検知するために、熱、炎および煙のうち、少なくともいずれかを検知する検知器が照明装置１に設けられていてもよく、照明装置１とは別に設けられていてもよい。火災が発生すると室内が高熱になり、炎および煙が発生することで、表示ユニット１３の視認性の改善が必要な状況になると考えられるからである。
【００３１】
検知器が照明装置１とは別に設けられている場合、検知器および制御部１６は、有線または無線の通信手段を介して信号を送受信する手段を備えていればよい。例えば、火災等の非常時に、検知器は、検知した熱が常用時の室温よりも高い場合、表示ユニット１３の視認性の改善が必要な状況であることを示す視認性検知信号を制御部１６に出力する。また、検知器は、検知した熱が常用時の室温と同等である場合、表示ユニット１３の視認性の改善が必要な状況でないことを示す視認性検知信号を制御部１６に出力する。
【００３２】
さらに、本実施の形態１では、制御部１６が第１光源１１および第２光源１２のうち、いずれか一方を駆動する場合で説明したが、両方を駆動してもよい。例えば、停電を伴わない非常時において、第１光源１１および第２光源１２の両方から光が出射することで、表示ユニット１３の視認性がさらに向上する。
【００３３】
本実施の形態１の照明装置１は、コヒーレント光を出射する第１光源１１と、インコヒーレント光を出射する第２光源１２と、これらの光を放射する表示ユニット１３と、第１光源１１の駆動と第２光源１２の駆動を制御する制御部１６とを有する。
【００３４】
本実施の形態１によれば、コヒーレント光およびインコヒーレント光のうち、一方または両方が表示ユニット１３から放射するため、常用時および非常時のいずれの状況であっても照明装置１の視認性が向上する。コヒーレント光が表示ユニット１３から放射する場合、表示ユニット１３および人の網膜上で干渉することによってスペックルパターンが発生する。スペックルパターンは、散乱された光がランダムな位相変化を受け一様でない粒状の強度パターンとなって人に見えるため、照明装置１の視認性がより向上する。
【００３５】
また、コヒーレント光およびインコヒーレント光の両方が表示ユニット１３から放射し、表示ユニット１３から放射されるインコヒーレント光のドミナント波長がコヒーレント光と一致する場合、照明装置１の視認性がさらに向上する。例えば、本実施の形態１で説明したように、第１光源１１が緑色レーザであり、第２光源１２が白色ＬＥＤの場合、表示ユニット１３の緑色透過領域３７ｂから放射される光がより強調され、人の形が際立つ効果が得られる。
【００３６】
また、本実施の形態１の照明装置１は、表示ユニット１３の視認性の改善が必要な状況であるか否かを判定し、第１光源１１および第２光源１２のうち、いずれか一方を駆動してもよい。例えば、表示ユニット１３の視認性の改善が必要な状況である場合、制御部１６は、第１光源１１および第２光源１２のうち、第１光源１１を駆動し、表示ユニット１３の視認性の改善が必要な状況でない場合、第２光源１２を駆動する。
【００３７】
非常時に、第１光源１１がコヒーレント光を出射することで、コヒーレント光が表示ユニット１３および人の網膜上で干渉することによってスペックルパターンが発生する。上記のように、スペックルパターンは、散乱された光がランダムな位相変化を受け一様でない粒状の強度パターンとなって人に見えるため、遠くからでも極めて目立つ。その結果、非常時であっても、照明装置１の視認性が向上する。
【００３８】
例えば、火災により避難経路に煙が充満している場合、煙によってコヒーレント光が散乱し、よりスペックルパターンの発生が促される。その結果、避難者は、照明装置１の表示面が見えなくても、照明装置１の位置する方向を視認しやすくなる。
【００３９】
また、本実施の形態１において、制御部１６は、表示ユニット１３の視認性の改善が必要な状況であるか否かを示す視認性検知信号を検知器から受信してもよい。この場合、停電以外の非常時にも、人に対して照明装置１の視認性を向上させることができる。
【００４０】
また、本実施の形態１の照明装置１は、コヒーレント光およびインコヒーレント光の出射方向に配置された導光体３１と、導光体３１から入射するコヒーレント光からスペックルパターンを発生させる表示板３５とを有する。表示板３５の表示面においてコヒーレント光が干渉することでスペックルパターンが発生する。人には、表示板３５の表示面で散乱された光がランダムな位相変化を受け一様でない粒状の強度パターンとなって見えるため、照明装置１が遠くからでもより目立ち、照明装置１に対する視認性が向上する。
【００４１】
実施の形態２．
本実施の形態２の照明装置は、火災等の非常時において、照明装置が設置された避難経路が安全であるか否かを避難者に認識できるようにしたものである。本実施の形態２では、実施の形態１と同様な構成については同一の符号を付し、その詳細な説明を省略する。
【００４２】
本実施の形態２の照明装置の構成を説明する。図９は、本発明の実施の形態２に係る照明装置の一構成例を示す外観斜視図である。図１０は、図９に示した照明装置の背面側の一例を示す外観斜視図である。図１１は、図１０に示した照明装置の内部を示す外観斜視図である。図１２は、図１１に示した光源ユニットの拡大斜視図である。図１３は、図１１に示した光源ユニットの拡大側面図である。
【００４３】
本実施の形態２の照明装置１ａは、実施の形態１で説明した照明装置１の構成の他に、第３光源１７および検知器１８を有する。図１２に示すように、第１光源１１、第２光源１２および第３光源１７が光源ユニット２０ａに搭載されている。第３光源１７は、第１光源１１が出射するコヒーレント光とは波長が異なるコヒーレント光を出射する光源である。第３光源１７は、例えば、赤色の単色光を出射する赤色半導体レーザである。第３光源１７が赤色半導体レーザである場合、第３光源１７の発光波長は６２０〜７５０ｎｍの波長範囲にあり、かつ発光スペクトルの半値全幅が１０ｎｍ以下である。
【００４４】
図１１に示す検知器１８は、表示ユニット１３の周囲の避難経路が安全か否かを検知する。表示ユニット１３の周囲の避難経路とは、例えば、照明装置１ａが設置された壁に面した通路である。検知器１８は、例えば、熱検知器である。検知器１８は、図に示さない、温度センサおよびセンサ回路基板を有する。検知器１８は、検知結果を示す検知信号を制御部１６に出力する。例えば、火災等の非常時に、検知器１８は、検知した熱が常用時の室温よりも高い場合、避難経路が危険であることを示す経路検知信号を制御部１６に出力する。検知器１８は、検知した熱が常用時の室温と同等である場合、避難経路が安全であることを示す経路検知信号を制御部１６に出力する。
【００４５】
図１２に示した光源ユニット２０ａの構成を説明する。図１４は、図１２に示した光源ユニットの一構成例を示す外観斜視図である。図１５は、図１４に示したＬＥＤ基板の外観斜視図である。図１６は、図１４に示した中継保持部およびホルダの外観斜視図である。図１７は、図１６に示した構成の分解斜視図である。
【００４６】
図１４に示すように、光源ユニット２０ａは、ＬＥＤ基板２１と、中継保持部２２と、ホルダ２３とを有する。図１５に示すように、第２光源１２はＬＥＤ基板２１に実装されている。ＬＥＤ基板２１は、例えば、ガラスエポキシからなるＦＲ４およびＣＥＭ３である。ＬＥＤ基板２１は、アルミニウム基材からなるメタルコア基板であってもよい。
【００４７】
ＬＥＤ基板２１は、第２光源１２に電力を供給する電子回路（不図示）を有し、コネクタ１１２を介して常用電源１４から供給される電力を第２光源１２に供給する役目を果たす。また、ＬＥＤ基板２１は、第２光源１２から発生する熱を逃がす役目も果たす。ＬＥＤ基板２１は、第１光源１１および第３光源１７をＬＥＤ基板２１に貫通させるための逃がし穴１１１を有する。
【００４８】
ホルダ２３は、例えば、押し出し成形されたアルミニウム材で構成される。ホルダ２３は、第１光源１１および第３光源１７の電極ピン１２１が挿入されるソケット穴１３１と、中継保持部２２を介して第１光源１１および第３光源１７を保持するネジ１２３が取り付けられるネジ穴１３２とを有する。ソケット穴１３１の内周面には図に示さない絶縁材が設けられ、絶縁材が電極ピン１２１とホルダ２３とを電気的に絶縁する。ホルダ２３は、第１光源１１および第３光源１７を保持する役目だけでなく、第１光源１１および第３光源１７から発生する熱の放熱を促すヒートシンクとしての役目も果たす。
【００４９】
中継保持部２２は、例えば、アルミニウム等の金属で構成される。中継保持部２２は、ネジ１２３が貫通する貫通ネジ穴１２２と、第１光源１１および第３光源１７を保持する貫通穴１２４とを有する。
【００５０】
図１５〜図１７を参照して、図１４に示した光源ユニット２０ａの組み立て方を簡単に説明する。図１７に示すように、第１光源１１および第３光源１７の電極ピン１２１をホルダ２３のソケット穴１３１に差し込む。続いて、第１光源１１および第３光源１７の各光源の位置に中継保持部２２の貫通穴１２４の位置を合わせて、各光源の下側から中継保持部２２を各光源にかぶせる。中継保持部２２の貫通ネジ穴１２２にネジ１２３を通し、ネジ１２３をホルダ２３のネジ穴１３２に留める。
【００５１】
このようにして、図１６に示すように、第１光源１１および第３光源１７が中継保持部２２を介してホルダ２３に取り付けられる。第１光源１１および第３光源１７は、ホルダ２３に強く押しつけられ、ホルダ２３と十分に接触する。そのため、第１光源１１および第３光源１７から発生する熱が効率よくホルダ２３から放熱する。
【００５２】
図１６に示す第１光源１１および第３光源１７の各光源の位置にＬＥＤ基板２１の逃がし穴１１１の位置を合わせて、図１５に示したＬＥＤ基板２１を中継保持部２２に取り付ける。このようにして、図１４に示した光源ユニット２０ａが組み立てられる。図１４に示すように、第１光源１１、第２光源１２および第３光源１７の各光源の光の出射位置を同じ高さにすることができる。
【００５３】
光源ユニット２０ａでは、第１光源１１および第３光源１７から発生した熱はホルダ２３を経由して放熱し、第２光源１２から発生した熱はＬＥＤ基板２１を経由して放熱する。そのため、第１光源１１および第３光源１７から発生する熱の放熱経路と、第２光源１２から発生する熱の放熱経路とを、分離することができる。
【００５４】
図１４に示す第１光源１１、第２光源１２および第３光源１７の光の出射方向には、図１３に示したように、導光体３１が配置されている。第１光源１１、第２光源１２および第３光源１７から出射される光は、導光体３１の上面側端部から導光体３１に入射する。
【００５５】
図１８は、図１４に示したホルダの一部の拡大図である。ソケット穴１３１に差し込まれた電極ピン１２１はホルダ２３内でコネクタ等（不図示）を介して電気的に配線（不図示）と接続されている。電極ピン１２１と接続される配線は、例えば、図１８に示す配線ガイド１３３を介して図１１に示した常用電源１４および非常用電源１５と接続されている。
【００５６】
次に、本実施の形態２における照明装置１ａの制御部１６の構成を説明する。図１９は、図１１に示した制御部の一構成例を示すブロック図である。制御部１６は、検知器１８から受信する経路検知信号が避難経路は安全であることを示す場合、実施の形態１と同じように、第１光源１１を駆動する。制御部１６は、検知器１８から受信する経路検知信号が避難経路は危険であることを示す場合、第３光源１７を駆動する。
【００５７】
次に、本実施の形態２の照明装置１ａの光源切替制御の手順を説明する。ここでは、第１光源１１が緑色半導体レーザであり、第２光源１２が白色ＬＥＤであり、第３光源１７が赤色半導体レーザの場合で説明する。図２０は、本発明の実施の形態２に係る照明装置の動作手順を示すフローチャートである。本実施の形態２では、照明装置１ａにおける常用時の動作（図２０に示すステップＳ２０１およびＳ２０２）は、図６に示したステップＳ１０１およびＳ１０２と同様になるため、その詳細な説明を省略する。
【００５８】
図２０に示すステップＳ２０３において、制御部１６は、検知器１８から受信する経路検知信号を基に、避難経路が安全か否かを判定する。経路検知信号が避難経路は安全であることを示す場合、制御部１６は、図６に示したステップＳ１０３と同様に、第１光源１１を駆動する（ステップＳ２０４）。この場合、実施の形態１で説明したように、第１光源１１から出射した緑色レーザ光は、導光体３１内で反射を繰り返して拡散した後、拡散板３３およびプリズムシート３４を経由して表示板３５の表示面から出射する。その結果、青色の光が表示板３５の表示領域３６の表面全体から出射する。これにより、照明装置１ａが設置された避難経路が安全であることを、避難者に認識させることができる。
【００５９】
一方、Ｓ２０３の判定の結果、経路検知信号が避難経路は危険であることを示す場合、制御部１６は、第３光源１７を駆動する（ステップＳ２０５）。第３光源１７から出射した赤色レーザ光は、表示ユニット１３の導光体３１に伝播する。導光体３１に入射した赤色レーザ光は導光体３１内で反射を繰り返して拡散した後、拡散板３３およびプリズムシート３４を経由して表示板３５の表示面から出射する。
【００６０】
図２１は、図９に示した表示ユニットの表示領域における発光スペクトルを示す図である。例えば、図２１の赤色半導体レーザスペクトルに示すように、赤色レーザ光は、スペクトル線幅が非常に狭く、かつ波長位置が６４０ｎｍ付近にある。そのため、赤色レーザ光は、白色光透過領域３７ａを透過するが、緑色透過領域３７ｂを透過しないため、赤色の光が表示板３５の表示領域３６から出射する。
【００６１】
表示板３５の表示色が赤色であるため、照明装置１ａが設置された避難経路が危険であることを避難者に認識させることができる。さらに、赤色レーザ光は、緑色レーザ光と同様に、表示板３５の表面および人の網膜上に、図８に示したようなスペックルパターンを発生させる。このスペックルパターンは遠くからでも極めて目立つ。
【００６２】
なお、本実施の形態２では、検知器１８が照明装置１ａに設けられている場合で説明したが、照明装置１ａとは別に設けられていてもよい。この場合、検知器１８および制御部１６は、有線または無線の通信手段を介して信号を送受信する手段を備えていればよい。また、本実施の形態２では、検知器１８が熱を検知する場合で説明したが、検知器１８が検知するのは熱に限らない。検知器１８は、避難経路が危険か否かを検知するために、熱、炎および煙のうち、少なくともいずれかを検知する検知器であればよい。さらに、検知器１８は、表示ユニット１３の視認性の改善が必要な状況であることを示す視認性検知信号を制御部１６に出力する機能も備えていてもよい。
【００６３】
本実施の形態２の照明装置１ａは、表示ユニット１３が面する避難経路が安全であるか否かを示す経路検知信号に基づいて、避難経路が安全と判定した場合、第１光源１１を駆動し、避難経路が危険と判定した場合、第３光源１７を駆動するものである。
【００６４】
従来、避難者が誘導灯を認識できたとしても、誘導灯が設置された避難経路が危険な場合がある。この場合、誘導灯による誘導は避難者に対して安全とは言えないおそれがある。また、従来の照明装置は、避難経路が危険であると判定して消灯しても、その避難経路が危険であることを避難者に警告できない。これに対して、本実施の形態２の照明装置１ａは、避難経路が安全な場合と危険な場合とで表示ユニット１３から出射される光の色を変えることで、避難者に的確な安全避難経路を色で誘導することができる。そのため、人に対して視認性および安全性の高い照明装置１ａを提供することができる。
【００６５】
なお、本実施の形態２では、光源ユニット２０ａについて、図１４〜図１８を参照して説明したが、光源ユニット２０ａを実施の形態１の照明装置１の光源ユニット２０に適用してもよい。この場合、光源ユニット２０ａに第３光源１７を設ける必要はない。
【００６６】
また、実施の形態１および２では、照明装置１および１ａが誘導灯および非常灯の場合で説明したが、照明装置１および１ａは誘導灯および非常灯に限らない。照明装置１および１ａを、道路交通用途、航空宇宙用途および船舶用途等の各種標識装置、回転式および点滅式等の警告灯、ならびに看板照明等の、遠方への情報報知を目的とした照明装置に適用することができる。実施の形態１および２で説明した照明装置１および１ａを、コヒーレント光を用いた照明光を遠方に照射する技術に適用できる。
【符号の説明】
【００６７】
１、１ａ  照明装置、１１  第１光源、１２  第２光源、１３  表示ユニット、１４  常用電源、１５  非常用電源、１６  制御部、１７  第３光源、１８  検知器、２０、２０ａ  光源ユニット、２１  ＬＥＤ基板、２２  中継保持部、２３  ホルダ、３１  導光体、３２  反射板、３３  拡散板、３４  プリズムシート、３５  表示板、３６  表示領域、３７ａ  白色光透過領域、３７ｂ  緑色透過領域、１１１  逃がし穴、１１２  コネクタ、１２１  電極ピン、１２２  貫通ネジ穴、１２３  ネジ、１２４  貫通穴、１３１  ソケット穴、１３２  ネジ穴、１３３  配線ガイド。
【図１】
2019215999.tif 000003
【図２】
2019215999.tif 000004
【図３】
2019215999.tif 000005
【図４】
2019215999.tif 000006
【図５】
2019215999.tif 000007
【図６】
2019215999.tif 000008
【図７】
2019215999.tif 000009
【図８】
2019215999.tif 000010
【図９】
2019215999.tif 000011
【図１０】
2019215999.tif 000012
【図１１】
2019215999.tif 000013
【図１２】
2019215999.tif 000014
【図１３】
2019215999.tif 000015
【図１４】
2019215999.tif 000016
【図１５】
2019215999.tif 000017
【図１６】
2019215999.tif 000018
【図１７】
2019215999.tif 000019
【図１８】
2019215999.tif 000020
【図１９】
2019215999.tif 000021
【図２０】
2019215999.tif 000022
【図２１】
2019215999.tif 000023